(57)【要約】【課題】内側被膜層及び外側被膜層の特性に応じて、所望するひび割れ模様を外側被膜層に現出することができるひび割れ模様付設方法及びそのひび割れ模様付設体を提供する。【解決手段】ひび割れ模様付設体１を構成する模様付設体２の表面に、外側被膜層４のみにひび割れ５…を発生させるような特性を有する内側被膜層３をスクリーン印刷して形成し、その内側被膜層３の表面に、外側被膜層４をスクリーン印刷して形成する。内側被膜層３及び外側被膜層４の特性、肉厚、層数に応じて、所望する大きさのひび割れ５…を外側被膜層４に発生させ、外側被膜層４の略全体にひび割れ模様６Ａ，６Ｂ，６Ｃを現出する。【選択図】  図１
2006056000.tif 000002
【特許請求の範囲】
【請求項１】
模様付設体の表面に、外側被膜層のみにひび割れを発生させる内側被膜層を形成し、
上記内側被膜層の表面に、該内側被膜層に応じた大きさのひび割れを発生させる外側被膜層を形成して、
上記内側被膜層及び外側被膜層の特性の違いにより該外側被膜層のみにひび割れを発生させる
ひび割れ模様付設方法。
【請求項２】
模様付設体の表面に、外側被膜層のみにひび割れを発生させる内側被膜層と、
該内側被膜層に応じた大きさのひび割れを発生させる外側被膜層とを形成して、
上記内側被膜層及び外側被膜層の特性の違いにより該外側被膜層のみにひび割れを発生させた
ひび割れ模様付設体。
【請求項３】
上記外側被膜層に発生させるひび割れの大きさを、上記内側被膜層及び外側被膜層の少なくとも一方の肉厚又は層数に応じて変更可能に設けた
請求項１記載のひび割れ模様付設方法又は請求項２記載のひび割れ模様付設体。
【請求項４】
上記内側被膜層及び外側被膜層を、上記模様付設体の表裏両面に形成した
請求項１記載のひび割れ模様付設方法又は請求項２記載のひび割れ模様付設体。
【請求項５】
上記模様付設体及び内側被膜層及び外側被膜層の少なくとも一つを所望する色に着色した
請求項１記載のひび割れ模様付設方法又は請求項２記載のひび割れ模様付設体。
【発明の詳細な説明】
【技術分野】
【０００１】
この発明は、例えば宣伝や装飾、内装、外装等に用いられるようなひび割れ模様付設方法及びそのひび割れ模様付設体に関する。
【背景技術】
【０００２】
従来、上述のひび割れ模様付設方法としては、例えばひび割れ被膜形成用ポリマー組成物を支持基体表面に直接塗布してひび割れ被膜を形成するか、その被膜表面を、上記被膜形成成分とは異なる物質で覆い、被膜と一体としてひび割れさせる特許文献１の被膜形成用エマルジョン組成物及びその組成物から得られた被膜、並びにそれらの製造方法、及びこれらにより表面処理方法がある。
【０００３】
しかし、上述の特許文献１は、被膜形成用ポリマー組成物を支持基体表面に直接塗布してひび割れ被膜を形成するが、被膜形成用ポリマー組成物の被膜表面を覆う物質のみにひび割れを形成するという構成及び思想の開示がなく、被膜表面を覆う物質のみにひび割れを形成することができない。また、被膜に形成されるひび割れの大きさを変更する場合、被膜形成用ポリマー組成物に含まれる成分の含有量を変えるか、その成分の種類を変更する等しなければならず、含有量の調整及び種類の選択が難しく、所望する大きさのひび割れを被膜に形成するのに手間が掛かるという問題点を有している。
【特許文献１】特開２００２−１５５２３１号公報
【発明の開示】
【発明が解決しようとする課題】
【０００４】
この発明は上記問題に鑑み、模様付設体の表面に、特性の違う内側被膜層及び外側被膜層を形成することにより、内側被膜層及び外側被膜層の特性に応じて、所望するひび割れ模様を外側被膜層に現出することができるひび割れ模様付設方法及びそのひび割れ模様付設体の提供を目的とする。
【課題を解決するための手段】
【０００５】
この発明は、模様付設体の表面に、外側被膜層のみにひび割れを発生させる内側被膜層を形成し、上記内側被膜層の表面に、該内側被膜層に応じた大きさのひび割れを発生させる外側被膜層を形成して、上記内側被膜層及び外側被膜層の特性の違いにより該外側被膜層のみにひび割れを発生させるひび割れ模様付設方法であることを特徴とする。また、模様付設体の表面に、外側被膜層のみにひび割れを発生させる内側被膜層と、該内側被膜層に応じた大きさのひび割れを発生させる外側被膜層とを形成して、上記内側被膜層及び外側被膜層の特性の違いにより該外側被膜層のみにひび割れを発生させたひび割れ模様付設体であることを特徴とする。
【０００６】
上述の模様付設体は、例えばプラスチックやガラス等の透光性を有する材質、セラミックスやコンクリート、金属、木、布地等の透光性のない材質で構成することができるが、ひび割れ模様が認識可能であれば半透明又は不透明、所望する色に着色した材質で構成することもできる。そのプラスチックとしては、例えばポリエチレンテレフタレート（ＰＥＴ）やポリエチレン、ポリプロピレン、ポリエステル、アクリル、ナイロン、塩化ビニル、ポリカーボネイト等を用いることができる。
【０００７】
また、内側被膜層及び外側被膜層は、例えば外側被膜層のみにひび割れを発生させるような特性を有するインクや塗料、溶剤、溶液等の被覆形成液で構成することができる。また、内側被膜層は、外側被膜層のみにひび割れを発生させるような下記の特性を有する被膜形成液で構成することができる。また、外側被膜層は、内側被膜層が持つ特性によりひび割れを発生するような下記の特性を有する被膜形成液で構成することができる。上記の特性としては、例えば被膜形成液の粘度や濃度、揮発性成分（希釈液）の揮発速度、乾燥速度、硬化速度等が特性の違いとして例示することができる。
【０００８】
つまり、模様付設体の表面に、外側被膜層のみにひび割れを発生させるような特性を有する被膜形成液（例えばインクや溶剤等）からなる内側被膜層をスクリーン印刷により形成するか、内側被膜層の表面に、内側被膜層が持つ特性によりひび割れを発生するような被膜形成液からなる外側被膜層をスクリーン印刷により形成する等して、被膜形成液の粘度や濃度、揮発性成分の揮発速度、乾燥速度の差等の内側被膜層と外側被膜層とが持つ特性の違いにより、内側被膜層及び外側被膜層の特性に応じて、所望する大きさのひび割れを外側被膜層のみに発生させ、外側被膜層の略全体（又は一部）にひび割れ模様を現出する。
【０００９】
実施の形態として、上記外側被膜層に発生するひび割れの大きさを、上記内側被膜層及び外側被膜層の少なくとも一方の肉厚又は層数に応じて変更可能に設けることができる。つまり、内側被膜層の肉厚を薄く又は層数を少なくすると、外側被膜層に発生するひび割れが大きくなり、内側被膜層の肉厚を厚く又は層数を多くすると、外側被膜層に発生するひび割れが小さくなるので、内側被膜層及び外側被膜層の少なくとも一方の肉厚又は層数を変えるだけで、外側被膜層に現出されるひび割れ模様の粗さ又は密度を任意に変更することができる。
【００１０】
また、上記内側被膜層及び外側被膜層を、上記模様付設体の表裏両面に形成することができる。つまり、内側被膜層の肉厚又は層数に応じた大きさのひび割れを、表裏両面の外側被膜層にそれぞれ発生させる。
【００１１】
また、上記模様付設体及び内側被膜層及び外側被膜層の少なくとも一つを所望する色に着色することができる。つまり、外側被膜層に形成されたひび割れを介して、例えば黒色や赤色、黄色、緑色、青色等の所望する色に着色した模様付設体や内側被膜層が目視可能な状態に露出され、その配色により色鮮やかなひび割れ模様を現出する。或いは、模様付設体表面のみを所望する色に着色してもよい。
【発明の効果】
【００１２】
この発明によれば、ひび割れ模様付設体を構成する模様付設体の表面に、特性の違う内側被膜層及び外側被膜層を形成し、その内側被膜層及び外側被膜層の特性に応じて、所望する大きさのひび割れを外側被膜層に発生させるので、外側被膜層に所望するひび割れ模様を現出することができる。また、内側被膜層及び外側被膜層の少なくとも一方の肉厚又は層数を変えるだけで、外側被膜層に現出されるひび割れ模様の粗さや密度を、その使用する目的や用途、場所等に応じて任意に変更することができ、所望する粗さや密度のひび割れ模様が得られる。
【発明を実施するための最良の形態】
【００１３】
この発明は、内側被膜層及び外側被膜層の特性に応じて、所望するひび割れ模様を外側被膜層に現出することができるという目的を、模様付設体の表面に、特性の違う内側被膜層及び外側被膜層を形成することで実現した。
【実施例】
【００１４】
この発明の一実施例を以下図面に基づいて詳述する。  
図面は、所望するひび割れ模様を外側被膜層に現出することができるひび割れ模様付設方法及びそのひび割れ模様付設体を示し、図１及び図２に於いて、本発明のひび割れ模様付設方法は、第１実施例のひび割れ模様付設体１を構成する外側被膜層４のみにひび割れ５…（又はクラック）を付設する場合、例えば柔軟不可な硬さ及び透光性を有する合成樹脂プレート、柔軟性及び透光性を有する合成樹脂シート等の何れか一方で構成される模様付設体２の略表面全体（又は一部）に、外側被膜層４のみにひび割れ５…を発生させるような特性を有する被膜形成液（例えばインクや溶剤等）を略均等となる肉厚にスクリーン印刷して、模様付設体２の略表面全体が覆われる状態に内側被膜層３を単一層形成する。
【００１５】
次に、上述の内側被膜層３が外側被膜層４のスクリーン印刷が許容される状態に乾くまでに、又は、外側被膜層４のスクリーン印刷が許容される生乾き状態に乾いた後、内側被膜層３の略表面全体（又は一部）に、内側被膜層３が持つ特性によりひび割れ５…を発生させるような被膜形成液（例えばインクや溶剤等）を略均等となる肉厚にスクリーン印刷して、内側被膜層３の略表面全体が覆われる状態に外側被膜層４を単一層形成する。また、ひび割れ５…が発生するような条件又は要素が満たされるならば、外側被膜層４を複数層形成することも可能である。
【００１６】
次に、内側被膜層３及び外側被膜層４の乾燥過程（被膜形成液に含まれる希釈液が揮発する等）において、内側被膜層３と外側被膜層４とが持つ特性（例えば粘度や濃度、揮発性成分の揮発速度、乾燥速度、硬化速度等）の違いにより、外側被膜層４の略全体に、内側被膜層３の肉厚又は層数に応じた不均一なひび割れ５…が略均等に発生し、外側被膜層４の略表面全体（又は一部）にひび割れ模様６Ａ（又はクラック模様）が現出する。この場合、内側被膜層３が１層であるため、図３にも示す粗さ及び密度のひび割れ模様６Ａが外側被膜層４の略全体に現出される。
【００１７】
また、模様付設体２の表面に形成された内側被膜層３を、外側被膜層４を構成する被膜形成液のスクリーン印刷が許容される状態に乾燥させた後、外側被膜層４の被膜形成液を、予め乾燥された内側被膜層３の略表面全体にスクリーン印刷して、ひび割れ５…が発生するような外側被膜層４を形成することもできる。
【００１８】
以上のように、ひび割れ模様付設体１を構成する模様付設体２の表面に、特性の違う内側被膜層３及び外側被膜層４を形成し、その内側被膜層３及び外側被膜層４の特性、肉厚、層数に応じて、所望する大きさのひび割れ５…を外側被膜層４に発生させるので、外側被膜層４の略全体（又は一部）にひび割れ模様６Ａを現出することができる。また、内側被膜層３及び外側被膜層４の少なくとも一方の肉厚又は層数を変えるだけで、外側被膜層４に現出されるひび割れ模様６Ａの粗さや密度を、その使用する目的や用途、場所等に応じて任意に変更することができ、所望する粗さや密度のひび割れ模様６Ａ，６Ｂ，６Ｃが得られる。
【００１９】
また、模様付設体２及び内側被膜層３及び外側被膜層４の少なくとも一つを、例えば黒色や赤色、黄色、緑色、青色等の所望する色に着色すれば、外側被膜層４に形成されたひび割れ５…を介して、所望する色に着色された模様付設体２や内側被膜層３が目視可能な状態に露出されるので、内側被膜層３と外側被膜層４との配色により、色鮮やかなひび割れ模様６Ａ，６Ｂ，６Ｃを現出することができる。或いは、模様付設体２表面のみを所望する色に着色してもよい。
【００２０】
また、模様付設体２の一部又は全体を、透光性を有する透明又は半透明な材質で形成すれば、模様付設体２の表面又は表裏両面に現出されるひび割れ模様６Ａ，６Ｂ，６Ｃを、模様付設体２の表裏両面から透視又は目視することができる。
【００２１】
図４に示す第２実施例のひび割れ模様付設体１は、内側被膜層３の層数を、第１実施例の内側被膜層３よりも多くなるよう形成した例を示し、例えば第１実施例の内側被膜層３を２層形成して、２層分の内側被膜層３，３の肉厚に応じた第１実施例よりも小さなひび割れ模様６Ｂ（図９又は図１０参照）を外側被膜層４のみに現出するので、第１実施例と略同等の作用及び効果を奏することができる。
【００２２】
図５に示す第３実施例のひび割れ模様付設体１は、内側被膜層３の層数を、第２実施例の内側被膜層３よりも多くなるように形成した例を示し、例えば第１実施例の内側被膜層３を３層形成（又は３層以上）して、３層分の内側被膜層３…の肉厚に応じた第２実施例よりも小さなひび割れ模様６Ｃ（図１０参照）を外側被膜層４のみに現出させるので、第１実施例と略同等の作用及び効果を奏することができる。
【００２３】
上述のように内側被膜層３の層数を少なくすると、外側被膜層４に発生するひび割れ５…が大きくなり、内側被膜層３の層数を多くすると、外側被膜層４に発生するひび割れ５…が小さくなるので、図９、図１０に示すように、内側被膜層３の層数を変えるだけで、外側被膜層５に現出されるひび割れ模様６Ａ，６Ｂ，６Ｃの粗さや密度を任意に変更することができる。
【００２４】
図６に示す第４実施例のひび割れ模様付設体１は、内側被膜層３の肉厚を、第１実施例の内側被膜層３よりも薄くなるように形成した例を示し、つまり、第１実施例の内側被膜層３よりも肉厚を薄くしただけ、第１実施例よりも外側被膜層４に発生するひび割れ５…が大きくなり、内側被膜層３の肉厚に応じた第１実施例よりも大きなひび割れ模様６Ａ（図９又は図１０参照）を外側被膜層４のみに現出させるので、第１実施例と略同等の作用及び効果を奏することができる。
【００２５】
図７に示す第５実施例のひび割れ模様付設体１は、内側被膜層３の肉厚を、第１実施例の内側被膜層３よりも厚くなるように形成した例を示し、例えば第１実施例の内側被膜層３を２層形成した厚みと略同等に形成して、２層分の内側被膜層３，３の肉厚に応じた第３実施例と略同等又は第４実施例よりも小さなひび割れ模様６Ｂ（図１０参照）を外側被膜層４のみに現出させるので、第１実施例と略同等の作用及び効果を奏することができる。
【００２６】
図８に示す第６実施例のひび割れ模様付設体１は、内側被膜層３の肉厚を、第５実施例の内側被膜層３よりも厚くなるように形成した例を示し、例えば第１実施例の内側被膜層３を３層形成（又は３層以上印刷）した厚みと略同等に形成して、３層分の内側被膜層３…の肉厚に応じた第３実施例と略同等又は第５実施例よりも小さなひび割れ模様６Ｃ（図１０参照）を外側被膜層４のみに現出させるので、第１実施例と略同等の作用及び効果を奏することができる。
【００２７】
上述のように内側被膜層３の肉厚を薄くすると、外側被膜層４に発生するひび割れ５…が大きくなり、内側被膜層３の肉厚を厚くすると、外側被膜層４に発生するひび割れ５…が小さくなるので、図９、図１０に示すように、内側被膜層３の肉厚を変えるだけで、外側被膜層５に現出されるひび割れ模様６Ａ，６Ｂ，６Ｃの粗さや密度を任意に変更することができる。
【００２８】
図１１に示す第７実施例のひび割れ模様付設体１は、模様付設体２の略表裏両面全体（又は一部）に形成した外側被膜層４，４にひび割れ５…を形成した例を示し、第１〜第６実施例に示すように、内側被膜層３の肉厚又は層数に応じたひび割れ模様６Ａ，６Ｂ，６Ｃ（図１０参照）を表裏両面の外側被膜層４，４のみに現出させるので、第１実施例と略同等の作用及び効果を奏することができる。
【００２９】
なお、本発明は、上述の実施例の構成のみに限定されるものではない。例えば内側被膜層３の肉厚又は層数を、模様付設体２表面に設定したひび割れ模様６Ａの粗領域から密領域に向けて徐々に肉厚が厚く又は層数が増えるように形成し、外側被膜層４に現出されるひび割れ模様６Ａの粗さ又は密度を、ひび割れ模様６Ａの粗領域と対応する内側被膜層３の肉厚の薄い又は層数の少ない領域から、ひび割れ模様６Ａの密領域と対応する内側被膜層３の肉厚の厚い又は層数の多い領域に向けて徐々に小さくなるようなグラデーションに現出することもできる。
【００３０】
上述のひび割れ模様６Ａ，６Ｂ，６Ｃを現出する他の方法として、例えば外側被膜層４を構成する被膜形成液の粘度を、内側被膜層３を構成する被膜形成液の粘度よりも高くすると、ひび割れ模様６Ａ，６Ｂ，６Ｃが現出しやすく、模様が大きくなる。また、外側被膜層４を構成する被膜形成液の粘度を低くすると、ひび割れ模様６Ａ，６Ｂ，６Ｃが現出しにくく、模様が小さくなるので、内側被膜層３及び外側被膜層４の少なくとも一方の被膜形成液の粘度を変えることによっても、ひび割れ模様６Ａ，６Ｂ，６Ｃの現出具合を調整することができる。
【００３１】
加えて、模様付設体２を、内側被膜層３及び外側被膜層４の少なくとも一方の被膜形成液（溶剤）を吸収しやすい材質（例えば塩化ビニルやポリカーボネイト等）で構成すると、ひび割れ模様６Ａ，６Ｂ，６Ｃが現出しやすく、模様が大きくなる。また、被膜形成液（溶剤）を吸収しにくい材質（例えばアクリルやＰＥＴ等）で構成すると、ひび割れ模様６Ａ，６Ｂ，６Ｃが現出しにくく、模様が小さくなるので、模様付設体２の材質を変えることによっても、ひび割れ模様６Ａ，６Ｂ，６Ｃの現出具合を調整することができる。
【図面の簡単な説明】
【００３２】
【図１】第１実施例の１層型内側被膜層のひび割れ模様付設体を示す斜視図。
【図２】１層型内側被膜層のひび割れ模様付設体を示す断面図。
【図３】外側被膜層に現出したひび割れ模様を示す平面図。
【図４】第２実施例の薄型内側被膜層のひび割れ模様付設体を示す断面図。
【図５】第３実施例の２層型内側被膜層のひび割れ模様付設体を示す断面図。
【図６】第４実施例の３層型内側被膜層のひび割れ模様付設体を示す断面図。
【図７】第５実施例の２層厚み型のひび割れ模様付設体を示す断面図。
【図８】第６実施例の３層厚み型のひび割れ模様付設体を示す断面図。
【図９】２種類のひび割れ模様の比較状態を示す平面図。
【図１０】３種類のひび割れ模様の比較状態を示す平面図。
【図１１】第７実施例の表裏付設型のひび割れ模様付設体を示す断面図。
【符号の説明】
【００３３】
１…ひび割れ模様付設体
２…模様付設体
３…内側被膜層
４…外側被膜層
５…ひび割れ
６Ａ，６Ｂ，６Ｃ…ひび割れ模様
【図１】
2006056000.tif 000003
【図２】
2006056000.tif 000004
【図３】
2006056000.tif 000005
【図４】
2006056000.tif 000006
【図５】
2006056000.tif 000007
【図６】
2006056000.tif 000008
【図７】
2006056000.tif 000009
【図８】
2006056000.tif 000010
【図９】
2006056000.tif 000011
【図１０】
2006056000.tif 000012
【図１１】
2006056000.tif 000013